(57)【要約】【課題】抱き合わせ状態において、ポケットを外力による押圧から保護することができるＰＴＰシートを提供する。【解決手段】ＰＴＰシート１０は、薬剤が収容されるポケット１６が突出する第１シートと１４、第１シート１４に貼着されて、ポケット１６の開口を塞ぐ第２シート１５と、を備える。第１シート１４及び第２シート１５は、短辺２１の両端２１Ｅが中央２１Ｃよりも上方に位置するように湾曲している。【選択図】図２
2020018671.tif 000002
【特許請求の範囲】
【請求項１】
薬剤が収容されるポケットが表裏面の一方である第１面が突出された外形が四角形の第１シートと、
上記第１シートにおける上記第１面と反対側の第２面に貼着されて、上記ポケットの開口を塞ぐ外形が矩形の第２シートと、を備えており、
上記第２シートが貼着された上記第１シートは、上記矩形のうち対向する一対の辺の両端が中央よりも上記ポケットが突出する向きに位置するように湾曲している薬剤包装用ＰＴＰシート。
【請求項２】
上記ポケットは、上記一対の辺に沿った第１方向の中央に位置する請求項１に記載の薬剤包装用ＰＴＰシート。
【請求項３】
上記ポケットは、上記一対の辺と交差する他の一対の辺に沿った第２方向の中央に対して一方向きへずれて位置する請求項２に記載の薬剤包装用ＰＴＰシート。
【請求項４】
上記第１シートは、上記第１面の上記第１方向の中央を含む位置に、筆記具により記入可能な記入領域を有しており、
上記記入領域は、上記第２方向の中央に対して上記ポケットと非対称な位置にある請求項２又は３に記載の薬剤包装用ＰＴＰシート。
【請求項５】
上記第１シートは、上記第１面から上記ポケットと同じ向きへ突出する凸部を有しており、
上記ポケットと上記凸部とは、上記第１方向の中央に対して非対称な位置にある請求項１から４のいずれかに記載の薬剤包装用ＰＴＰシート。
【請求項６】
上記ポケットは、上記一対の辺に沿った第１方向の中央に位置しており、
上記凸部は、上記第１方向において、上記ポケットの両側であって上記ポケットと重複しない位置にある請求項５に記載の薬剤包装用ＰＴＰシート。
【請求項７】
上記ポケットは、上記一対の辺と交差する他の一対の辺に沿った第２方向の中央に対して一方向きへずれて位置しており、
上記凸部は、上記第２方向の中央に対して他方向きへずれて位置する請求項６に記載の薬剤包装用ＰＴＰシート。
【請求項８】
上記ポケットは１個である請求項１から７のいずれかに記載の薬剤包装用ＰＴＰシート。
【請求項９】
請求項１から８のいずれかに記載の一対の薬剤包装用ＰＴＰシートを有しており、
上記薬剤包装用ＰＴＰシートは、上記一対の辺同士が対向した状態で上記第１面が相互に対向し、且つ、上記ポケットが相互に当接しない状態で、弾性環状帯により一体にされている一対の薬剤包装用ＰＴＰシート。
【発明の詳細な説明】
【技術分野】
【０００１】
本発明は、薬剤包装用ＰＴＰシートに関する。
【背景技術】
【０００２】
ＰＴＰ（Ｐｒｅｓｓ  Ｔｈｒｏｕｇｈ  Ｐａｃｋａｇｅ）包装は、医薬品包装の分野において、錠剤やカプセル剤等の固形薬剤の包装に広く用いられている。ＰＴＰ包装は、主として、薬剤を収容するポケットを樹脂フィルムに成型し、ポケットに薬剤を充填した後、アルミ箔からなるシート（以下、単にアルミ箔とする。）によってポケットを封止した包装体（シート）である。
【０００３】
ＰＴＰシートからの薬剤の取り出しは、以下のような手順によって行われる。患者が指先によってポケット越しに薬剤を押圧すると、ポケットが弾性変形し、薬剤がアルミ箔へ押圧される。薬剤によってアルミ箔が破られて、薬剤がポケットの外側へ取り出される。
【０００４】
薬剤の保存や輸送の際、あるいは患者によって薬剤が持ち運ばれる際、複数枚のＰＴＰシートは、互いに重ね合わされた状態とされることがある。その際、ＰＴＰシートは、ポケットが突出された側の面同士が近接した状態に重ね合わされることが多い。このような状態では、一方のＰＴＰシートのポケット間の空間に、他方のＰＴＰシートのポケットが入り込むため、複数のＰＴＰシートが重ねられた状態における厚みを薄く抑えることができる。同時に、外力によってポケットが直接押圧されてしまうことを防止することができる。以下、この状態が抱き合わせ状態とも称される。特許文献１には、抱き合わせ状態が可能なＰＴＰシートが開示されている。
【先行技術文献】
【特許文献】
【０００５】
【特許文献１】特許第５９１５１３４号公報
【特許文献２】登録実用新案第３１７３８３３号公報
【発明の概要】
【発明が解決しようとする課題】
【０００６】
ＰＴＰシートの抱き合わせ状態において、ポケットは対向するＰＴＰシートに対して接触した状態となっている。そのため、抱き合わせ状態とされたＰＴＰシートの両外側の面が互いに押圧されると、ポケットが、対向するＰＴＰシートによって押圧されて変形したり、ポケット越しに押圧された薬剤によってアルミ箔が破かれてしまうことがある。あるいは、薬剤がカプセル剤などである場合、カプセル剤が押圧によって変形してしまうことがある。
【０００７】
たとえば、患者が薬剤を封止したＰＴＰシートを鞄などに入れて持ち歩く際、抱き合わせ状態とされたＰＴＰシートの積層体の両外側の面が他の物品によって押圧されることで、上記のような現象が発生することがある。
【０００８】
また、抱き合わせ状態を維持するために、抱き合わせ状態のＰＴＰシートにゴムバンドなどが巻かれることがある。たとえば、１枚のＰＴＰシートにおいてポケットが１個であるときなど、ゴムバンドが巻かれた位置にポケットが存在しなければ、ゴムバンドに押圧されて、対向するＰＴＰシートが近づいたり接触したりするように変形するおそれがある。その結果、ポケットも、対向するＰＴＰシートに当接して、上記のような現象が発生しやすくなる。
【０００９】
本発明は、上記事情に鑑みてなされたものであり、その目的は、抱き合わせ状態において、ポケットを外力による押圧から保護することができるＰＴＰシートを提供することにある。
【課題を解決するための手段】
【００１０】
(1)  本発明に係る薬剤包装用ＰＴＰシートは、薬剤が収容されるポケットが表裏面の一方である第１面が突出された外形が四角形の第１シートと、上記第１シートにおける上記第１面と反対側の第２面に貼着されて、上記ポケットの開口を塞ぐ外形が矩形の第２シートと、を備える。上記第２シートが貼着された上記第１シートは、上記矩形のうち対向する一対の辺の両端が中央よりも上記ポケットが突出する向きに位置するように湾曲している。
【００１１】
上記構成によれば、抱き合わせ状態の一対の薬剤包装用ＰＴＰシートにおいて、各第１シートの中央が、相互に離れる向きへ湾曲しているので、対向する第１シートの第１面側の空間が大きくなる。これにより、第１シートの第１面と、対向するポケットとが当接し難い。また、第１シートの湾曲によって、第１シートの腰（剛性）が高まるので、ゴムバンドなどの弾性環状帯が、抱き合わせ状態の薬剤包装用ＰＴＰシートに巻かれても、弾性環状帯の力によって第１シートが変形し難い。
【００１２】
(2)  好ましくは、上記ポケットは、上記一対の辺に沿った第１方向の中央に位置する。
【００１３】
上記構成によれば、抱き合わせ状態において、対向する第１シートの第１面が最も離れている位置、すなわち第１方向の中央にポケットが位置する。
【００１４】
(3)  好ましくは、上記ポケットは、上記一対の辺と交差する他の一対の辺に沿った第２方向の中央に対して一方向きへずれて位置する。
【００１５】
上記構成によれば、抱き合わせ状態において、ポケット同士が当接しない。
【００１６】
(4)  好ましくは、上記第１シートは、上記第１面の上記第１方向の中央を含む位置に、筆記具により記入可能な記入領域を有しており、上記記入領域は、上記第２方向の中央に対して上記ポケットと非対称な位置にある。
【００１７】
上記構成によれば、抱き合わせ状態において、ポケットと記入領域とが当接しない。
【００１８】
(5)  好ましくは、上記第１シートは、上記第１面から上記ポケットと同じ向きへ突出する凸部を有しており、上記ポケットと上記凸部とは、上記第１方向の中央に対して非対称な位置にある。
【００１９】
上記構成によれば、抱き合わせ状態において、凸部が対向する第１シートの第１面と当接するので、ポケットへの負荷が低減される。
【００２０】
(6)  好ましくは、上記ポケットは、上記一対の辺に沿った第１方向の中央に位置しており、上記凸部は、上記第１方向において、上記ポケットの両側であって上記ポケットと重複しない位置にある。
【００２１】
上記構成によれば、抱き合わせ状態の第１面同士が対向する空間において、比較的第１面同士が近くなる第１方向の両側において、凸部と第１面とが当接するので、第１方向の中央に位置するポケットが対向する第１面と当接し難い。
【００２２】
(7)  好ましくは、上記ポケットは、上記一対の辺と交差する他の一対の辺に沿った第２方向の中央に対して一方向きへずれて位置しており、上記凸部は、上記第２方向の中央に対して他方向きへずれて位置する。
【００２３】
上記構成によれば、抱き合わせ状態の第１面同士が対向する空間において、一の第１シートにおける第２方向の中央に対して一方向きとなる側で、ポケットの両側において凸部と対向する第１面とが当接する。すなわち、ポケットに比較的近い位置において、凸部と対向する第１面とが当接する。
【００２４】
(8)  好ましくは、上記ポケットは１個である。
【００２５】
(9)  本発明は、上記一対の薬剤包装用ＰＴＰシートを有しており、上記薬剤包装用ＰＴＰシートは、上記一対の辺同士が対向した状態で上記第１面が相互に対向し、且つ、上記ポケットが相互に当接しない状態で、弾性環状帯により一体にされている一対の薬剤包装用ＰＴＰシートとして捉えられてもよい。
【発明の効果】
【００２６】
本発明に係る薬剤包装用ＰＴＰシートによると、抱き合わせ状態において、ポケットを外力による押圧から保護することができる。
【図面の簡単な説明】
【００２７】
【図１】図１は、ＰＴＰシート１０の平面図である。
【図２】図２は、ＰＴＰシート１０の前面図である。
【図３】図３は、ＰＴＰシート１０の裏面図である。
【図４】図４は、図１のIV-IV切断線におけるポケット１６付近の断面を示す各第断面図である。
【図５】図５は、図１のV-V切断線における凸部１８付近の断面を示す拡大断面図である。
【図６】図６は、抱き合わせ状態のＰＴＰシート１０Ｌ，１０Ｈを示す外観斜視図である。
【図７】図７は、抱き合わせ状態のＰＴＰシート１０Ｌ，１０Ｈを示す前面図である。
【図８】図８は、抱き合わせ状態のＰＴＰシート１０Ｌ，１０Ｈを上方から視たときのポケット１６Ｌ，１６Ｈ、凸部１８Ｌ，１８Ｈ、及び記入領域２０Ｌ，２０Ｈの配置を示す模式図である。
【発明を実施するための形態】
【００２８】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。なお、以下の説明において、上下を基準として上下方向５が定義され、上下方向５と垂直な方向に前後方向６が定義され、上下方向５及び前後方向６とそれぞれ垂直な方向に左右方向７が定義されている。ここで、左右方向７が本発明の第１方向の一例であり、前後方向６が本発明の第２方向の一例である。
【００２９】
［ＰＴＰシート１０の概略構成］
図１に示されるように、ＰＴＰシート１０は、平面視において長方形のシートである。なお、ＰＴＰシート１０の外形において、長方形の隅が丸められていてもよい。図4
に示されるように、ＰＴＰシート１０は、内側に錠剤やカプセル剤（以下、これらをまとめて薬剤１１とする。）が封止された状態で実施される。本実施形態では、１つのＰＴＰシート１０に、１つの薬剤１１が封止されている。
【００３０】
平面視において、ＰＴＰシート１０の前後方向６の寸法は、例えば６〜１２ｃｍであり、本実施形態においては、１０ｃｍの例が示される。また、左右方向７の寸法は、例えば３〜７ｃｍであり、本実施形態においては、５．４ｃｍの例が示される。
【００３１】
ＰＴＰシート１０は、ポリプロピレンにより成型された第１シート１４とアルミニウムフィルムである第２シート１５とが貼着されたものである。第１シート１４に形成されたポケット１６に、薬剤１１が収容されている。ポケット１６の開口は第２シート１５によって閉塞されている。患者の指先によって第１シート１４のポケット１６が押圧されると、ポケット１６が弾性変形して、薬剤１１を第２シート１５側へ押圧する。薬剤１１が第２シート１５を押し破ることで、薬剤１１が開口を通じてポケット１６から取り出される。
【００３２】
ＰＴＰシート１０は、例えば保存や輸送の際には、各ＰＴＰシート１０のポケット１６を上方とし、第２シート１５を下方とする同じ姿勢で複数枚が積み重ねられて、包装箱などに収容される。
【００３３】
他方、ＰＴＰシート１０は、患者に渡されるときや患者が持ち運ぶときには、図６に示されるように、２枚のＰＴＰシート１０が、第１シート１４同士が対向する状態に重ね合わされて、抱き合わせ状態とされる。抱き合わせ状態とは、２枚のＰＴＰシート１０が第１シート１４同士が対向されて、第１シート１４の間の空間に、２枚のＰＴＰシート１０の各ポケット１６が位置する状態である。
【００３４】
以下、ＰＴＰシート１０の各構成部材がより詳細に説明される。以下の説明において、各シートの上面及び下面という表現が用いられることがあるが、これらは図１におけるＰＴＰシート１０の向きを基準としたものである。また、第１シート１４の上面（ポケット１６が突出された側の面）が第１面に相当し、下面（第２シート１５と貼着された側の面）が第２面に相当する。
【００３５】
［第１シート１４］
図１に示される第１シート１４は、熱可塑性樹脂であるポリプロピレン（ＰＰ）によって真空成型されたシートである。第１シート１４は、一定の透光性を有している。これにより、患者は、第１シート１４を透過して、後述される第２シート１５（図３参照）に記載された文字や図柄を視認することができる。
【００３６】
ただし、第１シート１４には、第２シート１５に記載された文字や図柄を視認可能な程度の透光性を有しており、且つ、指先の押圧によって弾性変形可能なものであれば、他の樹脂が用いられてもよい。たとえば、第１シート１４には、ポリ塩化ビニル（ＰＶＣ）、ポリエチレンテレフタレート（ＰＥＴ）、又は環状ポリオレフィンが使用されてもよい。あるいは、樹脂の層が異なる薄膜によってコーティングされて、第１シート１４が構成されていてもよい。あるいは２種類以上の樹脂の層がラミネートされて、第１シート１４が構成されていてもよい。
【００３７】
図１に示されるように、第１シート１４には、１つのポケット１６が設けられている。図４に示されるように、ポケット１６は、第１シート１４が上方へ突出するようにドーム状に成型されたものである。つまり、ポケット１６において、第１シート１４の上面が上方へ突出され、下面が上方へ陥没されている。この陥没された部分に、薬剤１１が収容される内部空間が形成されている。この内部空間と外部空間とを連続する開口が、第１シート１４の下面に開かれている。ポケット１６の寸法は、薬剤１１を完全に収容可能なものであり、薬剤１１の大きさによって適宜変更される。本実施形態では、ポケット１６の平面視の外形は、前後方向６の寸法より左右方向７の寸法が長い楕円形である。なお、ポケット１６はドーム形状に限定されず、例えば、突出端が平面となる形状であってもよい。
【００３８】
図１に示されるように、第１シート１４には、２つの凸部１８が設けられている。図５に示されるように、凸部１８は、ポケット１６と同様に第１シート１４がドーム状に成型されたものである。一方、ポケット１６との相違点として、凸部１８が形成する内部空間には、薬剤１１が収容されていない。凸部１８の形状は、識別を容易にするために、ポケット１６の形状と異なる形状であることが好ましい。図１に示されるように、本実施形態では、凸部１８の平面視の外形は、正六角形である。凸部１８は、ＰＴＰシート１０の抱き合わせ状態において、対向する側のＰＴＰシート１０を支えるものである。抱き合わせ状態の詳細は後述する。
【００３９】
図１に示されるように、第１シート１４には、記入領域２０が形成されている。記入領域２０は、例えば第１シート１４の上面に、鉛筆の芯やボールペンのインクなどによって文字が記入できる塗膜が積層されることによって形成される。また、記入領域２０は、第１シート１４を通じて第２シート１５の印字を読み取り可能な程度な半透明であってもよい。記入領域２０には、薬剤１１を服用する月日、曜日などが筆記具により記入可能である。なお、記入領域２０は、紙などが第１シート１４に積層されることによって形成されてもよいし、第１シート１４の表面がサンドブラスト加工やエンボス加工されることによって形成されてもよい。
【００４０】
［第２シート１５］
図３に示されるように、第２シート１５は、ポケット１６に薬剤１１が収容された状態において、第１シート１４の下面（第２面）に貼着されたアルミニウムフィルムである。なお、図３においては、第１シート１４に形成されたポケット１６、凸部１８、及び記入領域２０の位置が破線で示されている。図４に示されるように、第２シート１５によって、ポケット１６の開口は閉ざされ、薬剤１１はポケット１６の内側に封止されている。また、図５に示されるように、第２シート１５によって、凸部１８の開口が閉ざされる。
【００４１】
第２シート１５の厚みは、患者がポケット１６越しに薬剤１１を押圧した際、薬剤１１からの押圧力によって破かれる程度の厚みにされている。本実施形態においては。第２シート１５の厚みは２０μｍである。ただし、第２シート１５の厚みは、薬剤１１の硬さ、たとえば、薬剤１１が錠剤であるか又はカプセル剤であるかに応じて適宜変更されてもよい。また、第２シート１５の材料も上記の要件を満たすものであれば、アルミニウム以外のものが用いられてもよい。たとえば、第２シート１５は、アルミニウム以外の金属であってもよく、アルミニウムと他の金属の合金であってもよい。また、ポケット１６の気密性を確保できるものであれば、第２シート１５に他の化学材料が用いられてもよい。
【００４２】
ポケット１６に薬剤１１が収容された状態において、第１シート１４と第２シート１５とは、加熱状態おいて圧着される。その際、熱によって半溶解された第１シート１４の下面が凝固することで、第１シート１４と第２シート１５とが溶着される。
【００４３】
図には示されないが、第２シート１５の上面及び下面には、それぞれ、薬剤師や患者が視認可能な文字や図柄が記載されている。第２シート１５の上面に記載された文字や図柄は、第１シート１４を透過して、第１シート１４の上面から視認可能である。
【００４４】
［ＰＴＰシート１０の湾曲形状］
図２に示されるように、第２シート１５が貼着された第１シート１４は、すなわち、第１シート１４及び第２シート１５は、平面視の外形である長方形のうち左右方向７に沿って延びる短辺２１の両端２１Ｅが中央２１Ｃよりも、ポケット１６が突出する向き、すなわち上下方向５の上向きに位置するように湾曲している。換言すれば、図２に示されるように、第１シート１４及び第２シート１５は、前後方向６に沿って視たときに、下方へ膨らむ円弧形状をなすように湾曲している。
【００４５】
第１シート１４及び第２シート１５が湾曲する程度は限定されないが、本実施形態では、短辺２１の両端２１Ｅは、上下方向５において、ポケット１６が第１シート１４の上面から突出する高さ１６Ｔの１／２と同程度の位置にある。第１シート１４及び第２シート１５は、例えば、第１シート１４と第２シート１５とが、加熱状態おいて圧着されるときに、第１シート１４がローラの円周面に支持されることによって、当該ローラの円周面に沿って湾曲される。
【００４６】
［ポケット１６、凸部１８、記入領域２０の配置］
図１示されるように、平面視のＰＴＰシート１０において、ポケット１６は、左右方向７において短辺２１の中央２１Ｃと同じ位置に位置する。換言すると、短辺２１の中央２１Ｃを通り前後方向６に沿った仮想直線Ｖ１上にポケット１６が位置する。ポケット１６は、必ずしも左右方向７の中央が仮想直線Ｖ１上に位置する必要はなく、ポケット１６の左右方向７に沿った幅の範囲内を仮想直線Ｖ１が通過していればよい。
【００４７】
また、ポケット１６は、前後方向６において、第１シート１４及び第２シート１５における長辺２２の中央２２Ｃに対して前向き（一方向きの一例）へずれて位置する。換言すると、長辺２２の中央２２Ｃを通り左右方向７に沿った仮想直線Ｖ２より前後方向６の前にポケット１６が位置する。つまり、仮想直線Ｖ２は、ポケット１６を通過しない。
【００４８】
記入領域２０は、第１シート１４の上面において左右方向７の全域に位置する。記入領域２０は、前後方向６において、仮想直線Ｖ２に対してポケット１６と非対称な位置にある。換言すると、記入領域２０の前端及び後端と仮想直線Ｖ２との前後方向６の距離は、ポケット１６の前端及び後端と仮想直線Ｖ２との前後方向６の距離とは異なる。
【００４９】
また、記入領域２０は、前後方向６において、仮想直線Ｖ２に対して各凸部１８と非対称な位置にある。換言すると、記入領域２０の前端及び後端と仮想直線Ｖ２との前後方向６の距離は、各凸部１８の前端及び後端と仮想直線Ｖ２との前後方向６の距離とは異なる。
【００５０】
ポケット１６と各凸部１８とは、左右方向７において、仮想直線Ｖ１に対して非対称な位置にある。本実施形態では、ポケット１６は、短辺２１の中央２１Ｃに位置しており、各凸部１８は、左右方向７において、ポケット１６の両側であってポケット１６と重複しない位置にある。本実施形態では、凸部１８は、前後方向６において同じ位置であり、且つ、左右方向７において、仮想直線Ｖ１に対して対称な位置にある。
【００５１】
また、各凸部１８は、前後方向６において、長辺２２の中央２２Ｃに対して後向き（他方向きの一例）へずれて位置する。換言すると、仮想直線Ｖ２より前後方向６の後に各凸部１８が位置する。つまり、仮想直線Ｖ２は、各凸部１８を通過しない。
【００５２】
［ＰＴＰシート１０の抱き合わせ］
以下、図６，７を参照しつつ、ＰＴＰシート１０の抱き合わせ状態が説明される。なお、抱き合わせ状態にされる２枚のＰＴＰシート１０は同じ構成であるが、説明の便宜上、抱き合わせ状態において下方に位置するＰＴＰシート１０がＰＴＰシート１０Ｌと称され、また、上方に位置するＰＴＰシート１０がＰＴＰシート１０Ｈと称される。また、各ＰＴＰシート１０Ｌ，１０Ｈを構成する各部材を示す参照符号においてもＬ，Ｈが付加されて説明がなされる。
【００５３】
２枚のＰＴＰシート１０Ｌ，１０Ｈは、第１シート１４Ｌ，１４Ｈ同士が対向する状態に重ね合わされている。また、２枚のＰＴＰシート１０Ｌ，１０Ｈにおいて、短辺２１Ｌ，２１Ｈ同士、及び長辺２２Ｌ，２２Ｈ同士が対向するが、２枚のＰＴＰシート１０Ｌ，１０Ｈは、相互の前後左右が逆である。つまり、図６に示される抱き合わせ状態では、ＰＴＰシート１０Ｌにおいて後に位置する短辺２１Ｌと、ＰＴＰシート１０Ｈにおいて前に位置する短辺２１Ｈとが対向した状態で現れている。つまり、ＰＴＰシート１０ＬとＰＴＰシート１０Ｈとは、一方の前後方向６が反転するように裏返されている。そして、ＰＴＰシート１０Ｌの上にＰＴＰシート１０Ｈが被せられている。
【００５４】
図１に示されるように、各ＰＴＰシート１０Ｈ，１０Ｌにおいて、ポケット１６Ｌ，１６Ｈと各凸部１８Ｌ，１８Ｈとは、仮想直線Ｖ１，Ｖ２に対して非対称に位置している。そのため、抱き合わせ状態において、対向するポケット１６Ｌ，１６Ｈと、対向する各凸部１８Ｌ，１８Ｈがいずれも接触しない位置関係にある。
【００５５】
図７，８において、ポケット１６Ｈに対して、左右方向７の両外側に各凸部１８Ｌがそれぞれ位置する。ポケット１６Ｌに対して、左右方向７の両外側に各凸部１８Ｈがそれぞれ一する。各凸部１８Ｌ，１８Ｈは、対向するＰＴＰシート１０Ｌ，１０Ｈの第１シート１４Ｌ，１４Ｈとそれぞれ当接している。
【００５６】
抱き合わせ状態において、各ＰＴＰシート１０Ｌ，１０Ｈは、上下方向５に膨らむようにそれぞれが湾曲している。これにより、第１シート１４Ｌ，１４Ｈは、左右方向７の中央が最も離れる空間３０を区画する。本実施形態では、ポケット１６Ｌ，１６Ｈが第１シート１４Ｌ，１４Ｈからそれぞれ上下方向５へ突出高さと、各凸部１８Ｌ，１８Ｈが第１シート１４Ｌ，１４Ｈからそれぞれ上下方向５へ突出高さとが同等であるが、空間３０において、各凸部１８Ｌ，１８Ｈがポケット１６Ｌ，１６Ｈより左右方向７の両側において、第１シート１４Ｌ，１４Ｈと当接しているので、ポケット１６Ｌ，１６Ｈは、空間３０において、対向するＰＴＰシート１０Ｌ，１０Ｈと接触しない。
【００５７】
また、図１に示されるように、各ＰＴＰシート１０Ｌ，１０Ｈにおいて、記入領域２０Ｌ，２０Ｈは、ポケット１６Ｌ，１６Ｈ及び各凸部１８Ｌ，１８Ｈと仮想直線Ｖ２において非対称な位置にある。そのため、図７，８に示されるように、抱き合わせ状態において、記入領域２０Ｌ，２０Ｈは、ポケット１６Ｌ，１６Ｈ及び各凸部１８Ｌ，１８Ｈと対向する位置にない。したがって、抱き合わせ状態において、各凸部１８Ｌ，１８Ｈは、記入領域２０Ｌ，２０Ｈと異なる位置において、第１シート１４Ｌ，１４Ｈと当接する。
【００５８】
図６に示されるように、抱き合わせ状態を保持するために、抱き合わせ状態のＰＴＰシート１０Ｌ，１０Ｈの外側にゴムバンド３１などの弾性環状帯が巻かれることがある。一般に、ゴムバンド３１などは、ＰＴＰシート１０Ｌ，１０Ｈの長辺２２Ｌ，２２Ｈの中央、すなわち仮想直線Ｖ２付近に巻かれる。仮想直線Ｖ２上には、ポケット１６Ｌ，１６Ｈ及び各凸部１８Ｌ，１８Ｈが位置しないので、ゴムバンド３１による弾性力は、抱き合わせ状態のＰＴＰシート１０Ｌ，１０Ｈを近づける向きに作用する。このとき、各ＰＴＰシート１０Ｌ，１０Ｈの湾曲によって剛性が高められ、各ＰＴＰシート１０Ｌ，１０Ｈの長辺２２Ｌ，２２Ｈが直線形上に維持されやすくなる。つまり、各ＰＴＰシート１０Ｌ，１０Ｈの仮想直線Ｖ２付近が相互に近づくように変形されにくい。また、ゴムバンド３１の弾性力によって、各ＰＴＰシート１０Ｌ，１０Ｈの湾曲が多少変形したとしても、つまり各短辺２１Ｌ，２１Ｈの湾曲が直線形上に戻るように変形したとしても、ポケット１６Ｌ，１６Ｈが、対向するＰＴＰシート１０Ｌ，１０Ｈと当接することによって、ＰＴＰシート１０Ｌ，１０Ｈの湾曲が維持される。
【００５９】
［本実施形態の作用効果］
本実施形態によれば、抱き合わせ状態のＰＴＰシート１０Ｌ，１０Ｈにおいて、各第１シート１４Ｌ，１４Ｈの中央が、相互に離れる向きへ湾曲しているので、対向する第１シート１４Ｌ，１４Ｈにより区画される空間３０が、湾曲していない場合と比較して広くなる。これにより、第１シート１４Ｌ，１４Ｈと、それぞれ対向するポケット１６Ｌ，１６Ｈとが当接し難い。これにより、抱き合わせ状態のＰＴＰシート１０Ｌ，１０Ｈにおいて、ポケット１６Ｌ，１６Ｈを外力による押圧から保護することができる。
【００６０】
また、第１シート１４Ｌ，１４Ｈの湾曲によって、第１シート１４Ｌ，１４Ｈの腰（剛性）が高まるので、ゴムバンド３１などが抱き合わせ状態のＰＴＰシート１０Ｌ，１０Ｈに巻かれても、ゴムバンド３１などの力によって第１シート１４Ｌ，１４Ｈが変形し難い。
【００６１】
また、ポケット１６Ｌ，１６Ｈは、第１シート１４Ｌ，１４Ｈにおいて左右方向７の中央に位置するので、抱き合わせ状態において、対向する第１シート１４Ｌ，１４Ｈの間が最も離れている位置にポケット１６Ｌ，１６Ｈが位置する。
【００６２】
また、ポケット１６Ｌ，１６Ｈは、前後方向６の中央、すなわち仮想直線Ｖ２に対して前向きへずれて位置するので、抱き合わせ状態において、ポケット１６Ｌ，１６Ｈ同士が当接しない。なお、ポケット１６Ｌ，１６Ｈは仮想直線Ｖ２に対して前後のいずれの向きにずれていてもよい。
【００６３】
また、記入領域２０Ｌ，２０Ｈは、前後方向６の中央、すなわち仮想直線Ｖ２に対してポケット１６Ｌ，１６Ｈと非対称な位置にあるので、抱き合わせ状態において、ポケット１６Ｌ，１６Ｈと記入領域２０Ｌ，２０Ｈとが当接しない。
【００６４】
また、ポケット１６Ｌ，１６Ｈと凸部１８Ｌ，１８Ｈとは、左右方向７の中央、すなわち仮想直線Ｖ１に対して非対称な位置にあるので、抱き合わせ状態において、凸部１８Ｌ，１８Ｈが対向する第１シート１４Ｌ，１４Ｈと当接して、ポケット１６Ｌ，１６Ｈが対向する第１シート１４Ｌ，１４Ｈと当接しないか、或いは当接してもポケット１６Ｌ，１６Ｈへの負荷が低減される。
【００６５】
また、ポケット１６Ｌ，１６Ｈは、左右方向７の中央に位置しており、凸部１８Ｌ，１８Ｈは、左右方向７において、ポケット１６Ｌ，１６Ｈの両側であってポケット１６Ｌ，１６Ｈと重複しない位置にあるので、抱き合わせ状態の空間３０において、比較的第１シート１４Ｌ，１４Ｈ同士が近くなる左右方向７の両側において、凸部１８Ｌ，１８Ｈと第１シート１４Ｌ，１４Ｈとが当接するので、ポケット１６Ｌ，１６Ｈが対向する第１シート１４Ｌ，１４Ｈと当接し難い。
【００６６】
また、ポケット１６Ｌ，１６Ｈは、前後方向６の中央、すなわち仮想直線Ｖ２に対して前向きへずれて位置しており、凸部１８Ｌ，１８Ｈは、仮想直線Ｖ２に対して後向きへずれて位置するので、抱き合わせ状態の空間３０において、ポケット１６Ｌ，１６Ｈに比較的近い位置において、凸部１８Ｌ，１８Ｈと対向する第１シート１４Ｌ，１４Ｈとが当接する。
【００６７】
［変形例］
前述した実施形態におけるポケット１６及び凸部１８の配置及び数は一例であり、当業者によって適宜変更されてもよい。また、記入領域２０は、必ずしも設けられなくてもよい。また、ＰＴＰシート１０の平面視の外形は長方形に限定されず、例えば、正方形や平行四辺形、台形などの四角形であってもよい。また、ＰＴＰシート１０における前後方向６及び左右方向７は相対的な関係である。
【符号の説明】
【００６８】
１０・・・ＰＴＰシート
１４・・・第１シート
１５・・・第２シート
１６・・・ポケット
１８・・・凸部
２０・・・記入領域
２１・・・短辺
２２・・・長辺
３０・・・空間
３１・・・ゴムバンド（弾性環状帯）
【図１】
2020018671.tif 000003
【図２】
2020018671.tif 000004
【図３】
2020018671.tif 000005
【図４】
2020018671.tif 000006
【図５】
2020018671.tif 000007
【図６】
2020018671.tif 000008
【図７】
2020018671.tif 000009
【図８】
2020018671.tif 000010